(57)【要約】【課題】ステレオ撮影など撮影絞りの位置を変えて撮影が行われる場合でも、品質のよい眼底撮影が可能な眼底撮影装置を提供する。【解決手段】通常撮影時には、撮影絞り３１ａが、またステレオ撮影時には、撮影絞り３１ｂ、３１ｃが選択される。選択された撮影絞りに応じて、黒点の大きさ１０１ａ、１０２ａが変化される。黒点の大きさではなく、あるいはそれに代えて黒点の位置、形状、及び個数などが変えられる。このような構成では、ステレオ撮影など撮影絞りの位置を変えて撮影が行われる場合でも、選択された撮影絞り面での黒点の像が撮影絞り全体を覆うようにすることができ、対物レンズでの反射光が撮影絞りを通過するのを防止して、有害光を除去した良好な眼底画像を得ることができる。【選択図】図７
2007185324.tif 000002
【特許請求の範囲】
【請求項１】
被検眼眼底を対物レンズを介して照明する照明光学系と、
対物レンズの面反射に基づく有害光を除去するために前記照明光学系に配置された黒点板と、
対物レンズを通過した被検眼眼底からの光を撮影絞りを介して撮像素子に導く撮影光学系と、
異なる位置にある撮影絞りを選択する選択手段とを備え、
前記選択手段によって選択された撮影絞りに応じて、前記黒点板の黒点の位置、形状、大きさ、及び個数のうち少なくとも一つを変化させることを特徴とする眼底撮影装置。
【請求項２】
前記黒点が複数個設けられ、少なくとも一つの黒点を照明光学系の光軸方向に、あるいは光軸と直交する方向に移動させ、無効化することを特徴とする請求項１に記載の眼底撮影装置。
【請求項３】
前記黒点が複数個設けられ、撮影絞りの位置によって、少なくとも二つの黒点の位置が照明光学系の光軸方向から見て重なるようになることを特徴とする請求項１に記載の眼底撮影装置。
【請求項４】
第１、第２、第３の位置に撮影絞りが設けられ、第１の位置にある撮影絞りが選択された時と、他の位置にある撮影絞りが選択された時とで、前記黒点板に配置されている黒点の位置、形状、大きさ、及び個数のうち少なくとも一つを変化させることを特徴とする請求項１から３のいずれか１項に記載の眼底撮影装置。
【請求項５】
撮影絞りが前記第１の位置以外の位置にあるときは、１回の撮影操作で、前記黒点板の状態を切り換えることなく、撮影絞りの位置を順次切り換えて、連続撮影を行なうことを特徴とする請求項４に記載の眼底撮影装置。
【請求項６】
通常撮影モードとステレオ撮影モードを有し、通常撮影モードが設定されたときは、第１の位置にある撮影絞りが選択され、ステレオ撮影モードが設定されたときは、第２又は第３の位置にある撮影絞りが選択されることを特徴とする請求項４又は５に記載の眼底撮影装置。
【発明の詳細な説明】
【技術分野】
【０００１】
本発明は、眼底撮影装置、更に詳細には、撮影絞りの位置を変えて眼底を撮影するステレオ撮影が可能な眼底撮影装置に関する。
【背景技術】
【０００２】
従来から眼底撮影装置において、眼底撮像時の撮影光による対物レンズの反射を防止するために、対物レンズの各面の反射光による撮影絞り像に共役な位置に黒点を置くことが行われており、この黒点は一般的には、照明光学系の光路に配置された平面ガラス上に遮光部材を設けることにより形成される（例えば、特許文献１）。
【０００３】
また、従来から、ステレオ撮影という同一被検眼に対し視差を持った２枚の画像を撮影して、それらの画像を対にして表示することにより、被検眼を立体視することが行われている。この視差を持った画像を撮影可能なステレオ撮影装置では、対物レンズに対して被検眼の瞳孔と共役な位置に、左右２つの孔が形成された撮影絞り（２孔絞り）が設けられ、シャッタ操作に応じて撮影絞りの一方の孔からの撮影を他方の孔からの撮影に切り換えて、連続して立体視用の２枚の画像を取得することが行われている（特許文献２）。
【０００４】
ところで、このようなステレオ撮影装置で、撮影絞りの位置を切り替えて眼底を撮影する場合、撮影絞りの位置によって、黒点位置を調整しないと、眼底撮像時の撮影光による対物レンズの反射を十分に防止することができず、撮影した眼底像の中心に白いスポットのようなアーチファクトが発生し、立体視用の眼底画像の品質と信頼性を低下させてしまうという問題があった。
【０００５】
また、前眼部の反射を防止するために、撮影絞りの大きさと、照明光路中の遮光点の大きさとを連動させたり（特許文献３）、撮影モードによって照明光路中の遮光点の位置を変え黒点の機能を無効化したり（特許文献４）、あるいは、撮影倍率によって照明光路中の遮光点を光軸方向に移動する（特許文献５）ことが行われている。
【特許文献１】特開２００５―２５３８１１号公報
【特許文献２】特開昭５９―９０５４７号公報
【特許文献３】特開平５―１９９９９７号公報
【特許文献４】特開昭５５―２６９５９号公報
【特許文献５】特開昭５６―９７４３３号公報
【発明の開示】
【発明が解決しようとする課題】
【０００６】
対物レンズの反射を防止するための遮光点は、眼底共役位置に近い位置に配置されるために、撮影画像に与える影響が大きく、位置精度が要求されるため、前眼部の反射を防止するための上記特許文献３〜５に記載されているような移動機構を、対物レンズの反射を防止する手段としてそのまま採用することはできず、従来では、ステレオ撮影時、眼底撮像時の撮影光による対物レンズの反射を十分に防止することができないという問題があった。
【０００７】
本発明は、このような問題点を解決するためになされたもので、撮影絞りの位置を変えて撮影が行われる場合でも、品質のよい眼底撮影が可能な眼底撮影装置を提供することを課題とする。
【課題を解決するための手段】
【０００８】
本発明は、
被検眼眼底を対物レンズを介して照明する照明光学系と、
対物レンズの面反射に基づく有害光を除去するために前記照明光学系に配置された黒点板と、
対物レンズを通過した被検眼眼底からの光を撮影絞りを介して撮像素子に導く撮影光学系と、
異なる位置にある撮影絞りを選択する選択手段とを備え、
前記選択手段によって選択された撮影絞りに応じて、前記黒点板の黒点の位置、形状、大きさ、及び個数のうち少なくとも一つを変化させることを特徴とする。
【発明の効果】
【０００９】
本発明では、撮影絞りの位置に応じて、黒点の遮光パラメータ、すなわち、黒点の位置、形状、大きさ、及び個数の少なくとも一つが変えられるので、ステレオ撮影など撮影絞りの位置を変えて撮影が行われる場合でも、対物レンズでの反射光が撮影絞りを通過するのを防止でき、有害光を除去した良好な眼底画像を得ることができる。
【発明を実施するための最良の形態】
【００１０】
以下、眼底撮影装置を、眼底カメラを例にして詳細に説明する。
【実施例１】
【００１１】
図１の眼底カメラ１０には、赤外光並びに可視光の照明光を発光する観察ランプ１１が球面ミラー１２の曲率中心に配置され、観察ランプ１１並びに球面ミラー１２からの光は、光路に挿脱可能な可視光カット赤外光透過フィルタ１３、コンデンサーレンズ１４、撮影用光源としてのストロボ１５、コンデンサーレンズ１６を経て、全反射ミラー１７に入射する。
【００１２】
全反射ミラー１７で反射した照明光は、照明絞りとしてのリングスリット２１を介して、通常撮影用黒点板１０１、立体撮影用黒点板１０２並びにリレーレンズ２２を通過し、穴あき全反射ミラー２３で反射され、対物レンズ２４を経て被検眼Ｅの前眼部（瞳）Ｅｐに入射する。
【００１３】
リングスリット２１は、移動遮光板１９と固定絞り２０からなり、照明光学系内で被検眼の前眼部Ｅｐ（瞳）とほぼ共役な位置に配置される。移動遮光板１９は、図５に示したように、円形の遮光部１９ａ、１９ｂ、１９ｃを有する透明なガラス板からなり、固定絞り２０は、中心に開口２０ａを有する開口絞りで、移動遮光板１９はその移動に応じて、図５（Ａ）、（Ｂ）、（Ｃ）に示す位置をとり、遮光板１９の位置に応じた照明光パターンが得られる。
【００１４】
照明光学系で照明された眼底Ｅｒからの反射光は、撮影光学系を構成する対物レンズ２４、穴あき全反射ミラー２３、固定絞り３１、移動絞りユニット３２、合焦レンズ３５、結像レンズ３６、ハーフミラー３７、変倍レンズ３８ａを通過してリターンミラー３９に入射する。リターンミラー３９が図示の位置では、眼底からの反射光が赤外光に感度を有する眼底と共役な位置にあるＣＣＤ（撮像手段）４０に入射し、眼底がＣＣＤ４０により撮像される。また、リターンミラー３９が光路から離脱すると、眼底からの反射光が可視光に感度を有する眼底と共役なＣＣＤ（撮像手段）４１に入射し、眼底がＣＣＤ４１により撮影される。
【００１５】
穴あき全反射ミラー２３は、図２（Ｃ）に示すように、開口２３ａを中心部に設けた全反射ミラーであり、固定絞り３１は、図２（Ｂ）に示すように、中心部に通常撮影用の撮影絞り３１ａと、その両側にフォーカス指標投影用並びにステレオ撮影用の撮影絞り（２孔絞り）３１ｂ、３１ｃを設けた絞りで、穴あき全反射ミラー２３に密着させて固定される。各撮影絞り３１ａ、３１ｂ、３１ｃは、光量確保の点並びに収差を少なくするために、好ましくは、矩形状とされるが、本実施例では、撮影絞り３１ｂ、３１ｃは円形に、撮影絞り３１ａは縦長の楕円形に形成される。
【００１６】
各撮影絞り３１ａ、３１ｂ、３１ｃは、被検眼前眼部（瞳）とほぼ共役な位置に配置される。その場合、撮影絞り３１ａは、その中心が対物レンズ２４の光軸（撮影光学系の光軸）２６と一致する位置（第１の位置）に配置され、撮影絞り３１ｂは、立体視用の左右の画像を得るために撮影光路を瞳共役位置で左右に分割したときの左側光路位置（第２の位置）に、また撮影絞り３１ｃは、その右側光路位置（第３の位置）にそれぞれ配置される。
【００１７】
また、移動絞りユニット３２は、図２（Ａ）に示すように、切り欠け部３２ａ、３２ｂ、３２ｃを有し、切り欠け部３２ａの両側には、フォーカス指標を眼底に向けて反射させる反射プリズム３２ｄ、３２ｅ（図４も参照）が設けられる。移動絞りユニット３２は、上下方向に移動され、図３（Ａ）に示した位置に移動すると、切り欠け部３２ａが撮影絞り３１ａの開口を開放し、撮影絞り３１ａが選択される。また、図３（Ｂ）、図３（Ｃ）に示した位置に移動すると、切り欠け部３２ｂ、３２ｃが撮影絞り３１ｂ、３１ｂの開口をそれぞれ開放し、撮影絞り３１ｂあるいは３１ｃが選択される。
【００１８】
また、通常撮影用黒点板１０１は、図６に示したように、中心に円形の黒点１０１ａを有し、ステレオ撮影用黒点板１０２は、中心に円形の黒点１０２ａを有する。後述するように、ステレオ撮影モードが設定されたときは、各黒点板１０１と１０２は、図６（Ａ）に示したように、いずれもストッパ１０３に当接し、各黒点１０１ａ、１０２ａの中心が照明光学系の光軸１００と一致する位置をとる。一方、通常撮影モード（単眼撮影モード）が設定されたときは、黒点板１０２が制御部６５により駆動されて照明光学系の光路から離脱し、黒点板１０１が有効となる。
【００１９】
対物レンズ２４での撮影光の反射光による結像に関して、黒点１０１ａ、１０２ａは、それぞれ撮影絞りとほぼ共役な位置に配置される。通常撮影用の黒点１０１ａの大きさは、撮影絞り面での黒点１０１ａの像１０１ｂが、図８（Ａ）に示すように、撮影絞り３１ａの全体を覆うような大きさに設定され、また、ステレオ撮影用の黒点１０２ａの大きさは、ステレオ撮影時、撮影絞り面での黒点１０２ａの像１０２ｂが、図８（Ｂ）に示すように、撮影絞り３１ｂと３１ｃの全体を覆うような大きさに形成される。
【００２０】
図１に戻って、対物レンズ２４と穴あき全反射ミラー２３間の光路には、前眼部レンズ３０が挿脱可能に配置され、前眼部でアライメントを行うために、前眼部Ｅｐを赤外光で照明する赤外光源２７と、前眼部を撮影するために、前眼部を微弱白色光で照明する光源２８が配置される。
【００２１】
また、眼底カメラには、フォーカス指標投影光学系が設けられる。この投影光学系において、赤外ＬＥＤからなるフォーカス指標用光源５０からの指標光は、レンズ５１、ミラー５２、レンズ５３を通過し、移動絞りユニット３２に固定された反射プリズム３２ｄと３２ｅにより光路が２分されて、眼底Ｅｒに投影される。フォーカス調整のために、合焦レンズ３５が移動されると、それと連動してレンズ５３の位置が移動し、反射プリズム３２ｄ、３２ｅで反射したフォーカス指標の像の分離状態が変化するので、検者は、指標像が一致するように、合焦レンズ３５を移動させて、眼底にピントを合わせる。
【００２２】
なお、照明光学系の光路には、蛍光撮影時にエキサイタフィルタ１８が挿入され、合焦レンズ３５の被検眼側には、蛍光撮影時にバリアフィルタ３４が挿入される。また、被検眼を眼底カメラに対して固視させるために、複数の固視灯５５ａ〜５５ｄからなる内部固視灯５５が設けられる。
【００２３】
ＣＣＤ４０で撮像された眼底、あるいは前眼部の像は、ＣＰＵなどで構成される制御演算部６０に入力され、その画像がモニタ６２に動画像として表示される。また、立体視専用ディスプレイとしてステレオモニタ６３が設けられ、検者は、このステレオモニタ６３を介してステレオ撮影された左右の画像を観察することにより眼底を立体視することができる。
【００２４】
また、ＣＣＤ４１は、シャッタスイッチ６６を操作したときストロボ１５で照明された眼底を静止画として撮影する。この眼底像は、一旦高速なメモリ６１に格納され、制御演算部６０を介して外部記録装置としての低速なハードディスク（ＨＤＤ）６４に記録されたり、あるいはモニタ６２、ステレオモニタ６３に表示される。
【００２５】
また、キーボード６７、マウス６８などの入力手段が設けられ、これらの入力手段を介して、種々のデータが入力できるようになっている。
【００２６】
更に、眼底カメラには、ＣＰＵなどからなる制御部６５が設けられ、この制御部６５は、制御演算部６０と接続されて互いに信号を交換するとともに、シャッタスイッチ６６が操作されたときに、リターンミラー３９を光路から離脱させるとともに、ストロボ１５を適量な光量で発光させる。また、制御部６５は、可視光カット赤外光透過フィルタ１３、エキサイタフィルタ１８、バリアフィルタ３４、前眼部レンズ３０、変倍レンズ３８ａ、３８ｂの光路への挿脱を制御し、移動絞りユニット３２の移動、移動遮光板１９の移動、ステレオ撮影用黒点板１０２の移動を制御する。
【００２７】
また、眼底カメラには、操作部６９が設けられ、この操作部６９には、通常撮影（単眼撮影）、ステレオ撮影、３枚連続撮影の撮影モードを選択する撮影モード選択スイッチ、前眼部レンズ挿脱スイッチ、撮影位置選択スイッチなどが配置され、操作部６９で選択された各スイッチ情報が制御部６５に入力される。
【００２８】
更に、眼底カメラには、撮影する被検眼が左眼か右眼かを検知する左右眼検知部７０が設けられ、検知された左眼か右眼かの情報が制御部６５に入力される。
【００２９】
このような構成において、眼底を一つの画像として撮影する通常撮影モードが設定されると、移動絞りユニット３２は、図３（Ａ）に示した位置に移動され、撮影絞り３１ａが選択され、また、照明絞りは、図５（Ａ）に示した位置に移動され、遮光部１９ａが固定絞り２０の開口ａの中心にくる照明絞りとなる。また、黒点板１０２は、図６（Ｂ）に示したように、光路から離脱して、黒点１０１ａが有効となる。この状態が、図７の「通常撮影」の欄に示されている。
【００３０】
光源２７で照明された前眼部のＣＣＤ４０による前眼部像をモニタ６２で観察しながら前眼部アライメントを行い、それが完了すると、前眼部レンズ３０が光路から離脱され、照明絞りを介して赤外光で照明された眼底からの光は、穴あき全反射ミラー２３の穴２３ａ、撮影絞り３１ａを通過して、ＣＣＤ４０に結像され、その像がモニタ６２に表示される。そこで、検者は眼底画像を観察してアライメントを行い、また、合焦レンズ３５を操作して、フォーカス調整を行う。
【００３１】
眼底アライメント並びにフォーカス調整が完了すると、シャッタスイッチ６６が操作され、リターンミラー３９が光路から離脱されて、ストロボ１５が発光する。
【００３２】
ストロボ１５の発光により照明された眼底像は、撮影絞り３１ａを介して合焦レンズ３５、結像レンズ３６、変倍レンズ３８ａを通過してＣＣＤ４１に結像され、眼底画像が取得される。このとき、撮影絞り面での黒点１０１ａの像１０１ｂは、図８（Ａ）に示すように、撮影絞り３１ａの全体を覆うようになり、対物レンズ２４で反射された撮影光が、撮影絞り３１ａを通過するのを防止することができ、撮影された眼底画像の品質を向上させることができる。
【００３３】
一方、ステレオ撮影（立体撮影）モードが設定されている場合には、１回のシャッタ操作で、連続して立体視用の左右の２枚の眼底画像が撮影される。右画像を撮影する場合には、移動絞りユニット３２は、図３（Ｂ）に示した位置に移動され、撮影絞り３１ｂが選択され、また、照明絞りは、図５（Ｂ）に示した位置に移動され、遮光部１９ｂが固定絞り２０の開口ａに入る照明絞りとなる。また、黒点板１０２は、図６（Ａ）に示したように、照明光学系の光路に挿入される。この状態が、図７の「ステレオ撮影（右画像用）」の欄に示されている。
【００３４】
一方、立体視用の左画像を撮影する場合には、移動絞りユニット３２は、図３（Ｃ）に示した位置に移動され、撮影絞り３１ｃが選択され、また、照明絞りは、図５（Ｃ）に示した位置に移動され、遮光部１９ｃが固定絞り２０の開口ａに入る照明絞りとなる。また、黒点板１０２は、右画像を撮影する場合と同じで、図６（Ａ）に示したように、照明光学系の光路に挿入される。この状態が、図７の「ステレオ撮影（左画像用）」の欄に示されている。
【００３５】
たとえば、最初に右画像、続いて左画像を撮影する場合は、眼底アライメントとフォーカス調整が完了後、シャッタスイッチ６６を操作すると、ストロボが発光して、図７の「ステレオ撮影（右画像用）」の欄に示された照明絞り、撮影絞り、並びに黒点板で１回目の撮影が行われ、続いて、図７の「ステレオ撮影（左画像用）」の欄に示された照明絞り、撮影絞り、並びに黒点板で、ストロボが発光して２回目の撮影が行われる。いずれの撮影時にも、撮影絞り面での黒点１０２ａの像１０２ｂは、図８（Ｂ）に示すように、撮影絞り３１ｂ、３１ｃの全体を覆うようになり、対物レンズ面で反射された撮影光が、撮影絞り３１ｂ、３１ｃを通過するのを防止することができ、各眼底画像の品質を向上させることができる。
【００３６】
また、本実施例では、３枚連続撮影モードも設定でき、このモードでは、１回のシャッタ操作で３枚の画像が連続して撮影される。１枚目の画像は、通常撮影と同様な画像であり、２枚目と３枚目は、立体視用の左右の眼底画像である。
【００３７】
なお、撮影された眼底の単眼画像、立体視用の左右の２枚の眼底画像は、それぞれ、被検眼ＩＤ、撮影日時、撮影光量（ストロボ発光量）、左右眼の区別、撮影絞りの位置（第１〜第３の位置）などの撮影条件と関連付けして、一旦メモリ６１に記録され、続いて所定のタイミングで外部記憶装置６４に転送され、そこに保存される。
【００３８】
また、メモリ６１あるいは外部記録装置６４に記録された画像を呼び出して表示する場合は、撮影モードに応じて表示方法並びに表示手段（モニタ）を変えるようにする。例えば、通常撮影で撮影した単眼の眼底画像を表示する場合には、モニタ６２が自動的に選択され、該眼底画像がモニタ６２に静止画像として撮影条件情報を付して表示される。また、ステレオ撮影で得られた左右２枚の画像を呼び出して眼底を立体視する場合は、ステレオモニタ６３を使用して、左位置の情報が付された左画像を左側に表示し、右位置情報が付された右画像をその右側に並べ、他の撮影条件情報も付して表示する。一方、３枚連続撮影で得られた３枚の画像を呼び出して、表示する場合には、モニタ６２を使用して３枚の画像を一枚ずつ繰り返して表示する。この繰り返し表示により一種の動画立体像が表示される。
【実施例２】
【００３９】
以下に、通常撮影用及びステレオ撮影用の黒点を形成する他の実施例を述べる。下記の各実施例において、所定の撮影絞りが選択されたときの黒点板の移動は、制御部６５の制御の元に行われる。
【００４０】
図６に示した実施例では、ステレオ撮影用黒点板１０２は、通常撮影時に、通常撮影用黒点板１０１と平行にスライドして照明光学系の光路から離脱されるが、図９に示すように、ステレオ撮影用黒点板１０２の左端に回動軸１０４を設け、通常撮影時には、図９（Ｂ）に示したように、ステレオ撮影用黒点板１０２を回動軸１０４を中心に通常撮影用黒点板１０１に対して約９０度回転させて照明光学系の光路から離脱させるようにしてもよい。
【００４１】
図６、図９に示した実施例では、撮影絞り３１ａが選択されると、小黒点１０１ａが有効となり、撮影絞り３１ｂ、３１ｃが選択されると、大黒点１０２ａが有効となって、撮影絞りの位置に応じて黒点の大きさが変化する。このとき、ステレオ撮影用黒点板１０２に形成される黒点の形状あるいは個数を変化させることができる。たとえば、図１３（Ａ）に示した例は、図６、図９に示したように、ステレオ撮影用黒点板１０２に円形の黒点１０２ａが形成される例であり、この円形の黒点１０２ａを、図１３（Ｂ）に示したように、矩形形状の黒点１０２ｃ、あるいは図１３（Ｃ）に示したように、分離した２つの円形黒点１０２ｄと１０２ｅにすることができる。いずれの黒点形状でも、その大きさは、ステレオ撮影時、黒点板１０２が光路に挿入されたときには、撮影絞り面での黒点１０２ｃ、１０２ｄ、１０２ｅの像が撮影絞り３１ｂ、３１ｃを覆い、対物レンズ面で反射された撮影光が、撮影絞り３１ｂ、３１ｃを通過するのを防止できる大きさにすることはもちろんである。
【００４２】
また、図１０には、ステレオ撮影用黒点板１０２が、左右のガイドレール１０５、１０６に案内されて照明光学系の光軸１００に沿って移動できる例が示されている。この実施例では、ステレオ撮影のときで、撮影絞り３１ｂ、３１ｃが選択されるときは、黒点板１０１と１０２は、図１０（Ａ）に示したように、図６（Ａ）、図９（Ａ）と同じ位置を占め、一方通常撮影のときで、撮影絞り３１ａが選択されたときは、黒点１０１ａは固定されて、黒点１０２ａが、たとえば約１０ｍｍ照明光学系の光軸１００に沿って対物レンズ２４側に移動する。この移動により黒点１０２ａは、無効化され、黒点１０１ａのみが有効となって、対物レンズ面で反射された撮影光が、撮影絞り３１ａを通過するのを防止する。
【００４３】
図１１に示す例は、円形の黒点１１１ａを中心に形成した黒点板１１１と、黒点１１１ａの形状と大きさが同じ黒点１１２ａを中心に形成した黒点板１１２を、照明光学系の光軸１００に対して直交する方向に移動できるようにしたものである。通常撮影のときで、撮影絞り３１ａが選択されるときは、図１１（Ｂ）に示したように、黒点板１１１はストッパ１１４の凸部１１４ａに当接し、黒点板１１２はストッパ１１３の凸部１１３ａに当接して、各黒点１１１ａと１１２ａはその中心が光軸１００と一致して互いに重なる位置をとる。一方、ステレオ撮影時で、撮影絞り３１ｂ、３１ｃが選択されるときは、図１１（Ａ）に示したように、黒点板１１１は左方に移動してストッパ１１３の凹部１１３ｂに当接し、黒点板１１２は右方に移動してストッパ１１４の凹部１１４ｂに当接する。この状態では、２つの分離した同じ大きさの黒点１１１ａ、１１２ａが光軸１００を挟んで等距離に位置する。各黒点１１１ａと１１２ａの大きさは、各黒点の撮影絞りでの像がそれぞれの選択された撮影絞り全体を覆うような大きさとされ、それにより、対物レンズ面で反射された撮影光が、各撮影絞りを通過するのを防止できるようになる。
【００４４】
図１２に示す例は、円形の黒点１２０ａを中心部に形成した一つの黒点板１２０を照明光学系の光軸１００と直交する方向に左右に移動させるようにしたものである。図１２の左に示した状態のときは、黒点１２０ａの中心が光軸１００と一致し、通常撮影で撮影絞り３１ａが選択されたときのものであり、撮影絞り３１ａでの黒点１２０ａの像１２０ｂは、下方左に示したように、撮影絞り３１ａ全体を覆うようになる。また、図１２の中央に示した状態では、ステレオ撮影で撮影絞り３１ｂが選択されたときで、黒点板１２０は、光軸１００から左方に移動し、このとき、撮影絞り３１ｂでの黒点１２０ａの像１２０ｂは、下方中央に示したように、撮影絞り３１ｂ全体を覆うようになる。また、図１２の右に示した状態では、ステレオ撮影で撮影絞り３１ｃが選択されたときで、黒点板１２０は、光軸１００から右方に移動し、このとき、撮影絞り３１ｃでの黒点１２０ａの像１２０ｂは、下方右に示したように、撮影絞り３１ｃ全体を覆うようになる。いずれも、対物レンズ面で反射された撮影光が、撮影絞り３１ａ、３１ｂ、３１ｃを通過するのを防止し、対物レンズでの反射を防止して、眼底画像の品質を高めることができる。なお、黒点１２０ａの形状は、円形でなく、矩形など他の形状とすることができることはもちろんである。
【図面の簡単な説明】
【００４５】
【図１】本発明の眼底撮影装置の光学系を示した構成図である。
【図２】（Ａ）は移動絞りユニットの構成を示す平面図、（Ｂ）は固定絞りの構成を示す平面図、（Ｃ）は穴あき全反射ミラーの構成を示す平面図である。
【図３】移動絞りユニットの移動により撮影絞りが選択される状態を説明した説明図である。
【図４】撮影絞りを通過する光線の経路を詳細に示した説明図である。
【図５】照明絞りの切り替えを示した説明図である。
【図６】撮影モードに応じて黒点を変化させる実施例を示した説明図である。
【図７】各撮影モードで選択される黒点板、撮影絞り、照明絞りを示した説明図である。
【図８】撮影絞り面での黒点の像を示した説明図である。
【図９】撮影モードに応じて黒点を変化させる他の実施例を示した説明図である。
【図１０】撮影モードに応じて黒点を変化させる他の実施例を示した説明図である。
【図１１】撮影モードに応じて黒点を変化させる他の実施例を示した説明図である。
【図１２】撮影モードに応じて黒点を変化させる他の実施例を示した説明図である。
【図１３】黒点形状あるいは個数を変化させる例を示した説明図である。
【符号の説明】
【００４６】
１５  ストロボ
２１  リングスリット
２３  穴あき全反射ミラー
３０  前眼部レンズ
３１  固定絞り
３１ａ、３１ｂ、３１ｃ  撮影絞り
３２  移動絞りユニット
５０  フォーカス指標光源
５５  内部固視灯
１０１  通常撮影用黒点板
１０２  ステレオ撮影用黒点板
【図１】
2007185324.tif 000003
【図２】
2007185324.tif 000004
【図３】
2007185324.tif 000005
【図４】
2007185324.tif 000006
【図５】
2007185324.tif 000007
【図６】
2007185324.tif 000008
【図７】
2007185324.tif 000009
【図８】
2007185324.tif 000010
【図９】
2007185324.tif 000011
【図１０】
2007185324.tif 000012
【図１１】
2007185324.tif 000013
【図１２】
2007185324.tif 000014
【図１３】
2007185324.tif 000015